(57)【要約】【課題】外観性に優れ、取付けおよび取り扱いが容易で、さらに、押出成形における生産性にも優れるベルトラインアウターシールの取付構造を提供する。【解決手段】高い剛性と光沢性を有する材料で形成され、断面略逆Ｕ字状のブライトフィニシャー１０と、ブライトフィニシャー１０の内面側に設けられるアウターシール２０とを備える。アウターシール２０の室内側壁２２を高硬度材Ｈで形成して支柱材とし、室内側壁２２と上側壁２３の境界部分に肉薄の支点部２７を形成する。アウターシール２０は前記支点部２７を中心にして開いた状態で押出成形され、かつ、閉じた姿勢でブライトフィニシャー１０に組付き、その状態では、支点部２７を中心とした弾性復元力によってブライトフィニシャー１０の内面に圧接する。【選択図】        図４
2006182215.tif 000002
【特許請求の範囲】
【請求項１】
自動車ドア（１）のベルトライン（Ｂ）に沿って取付けられるアウターシールの取付構造であって、
ステンレスやアルミ等の高い剛性と光沢性を有する材料で形成され，インナー壁（１１），トップ壁（１２）およびアウター壁（１３）を有する断面略逆Ｕ字状で，かつ，前記アウター壁の下端部から室内側（３）に係止突起（１４）を突設したブライトフィニシャー（１０）と、
前記ブライトフィニシャーの内面側に設けられ，少なくとも，室内側壁（２２），上側壁（２３）および車外側壁（２４）を有する断面略逆Ｕ字状の取付基部（２１）の内面側に，ドアフランジ（１ａ）に組付く爪部（２５）を突設すると共に，室内側の下端部からドアガラス（２）に摺接するシール部（２６）を突設したアウターシール（２０）とを備え、
前記取付基部の室内側壁を高硬度材（Ｈ）で形成して支柱材とし、
前記室内側壁と上側壁の境界部分に肉薄の支点部（２７）を形成し、
前記車外側壁の下端部に，前記ブライトフィニシャーの係止突起に係合する係合凹部（２８）を形成してなり、
前記アウターシールは前記支点部を中心にして開いた状態で押出成形されるものであり，かつ，閉じた姿勢で前記ブライトフィニシャーに組付き，その状態では，前記支点部を中心とした弾性復元力によって前記ブライトフィニシャーの内面に圧接して組付くものであることを特徴とするベルトラインアウターシールの取付構造。
【請求項２】
自動車ドア（１）のベルトライン（Ｂ）に沿って取付けられるアウターシールの取付構造であって、
ステンレスやアルミ等の高い剛性と光沢性を有する材料で形成され，インナー壁（１１），トップ壁（１２）およびアウター壁（１３）を有する断面略逆Ｕ字状で，かつ，前記アウター壁の下端部から室内側（３）に係止突起（１４）を突設したブライトフィニシャー（１０）と、
前記ブライトフィニシャーの内面側に設けられ，少なくとも，室内側壁（２２），上側壁（２３）および車外側壁（２４）を有する断面略逆Ｕ字状の取付基部（２１）の内面側に，ドアフランジ（１ａ）に組付く爪部（２５）を突設すると共に，室内側の下端部からドアガラス（２）に摺接するシール部（２６）を突設したアウターシール（２０）とを備え、
前記取付基部の室内側壁と上側壁を高硬度材（Ｈ）で形成して支柱材とし、
前記上側壁と車外側壁との境界部分に肉薄の支点部（２７）を形成し、
前記車外側壁の下端部に，前記ブライトフィニシャーの係止突起に係合する係合凹部（２８）を形成してなり、
前記アウターシールは前記支点部を中心にして開いた状態で押出成形されるものであり，かつ，閉じた姿勢で前記ブライトフィニシャーに組付き，その状態では，前記支点部を中心とした弾性復元力によって前記ブライトフィニシャーの内面に圧接して組付くものであることを特徴とするベルトラインアウターシールの取付構造。
【発明の詳細な説明】
【技術分野】
【０００１】
本発明は、自動車ドアのベルトラインに沿って、ブライトフィニシャーと共に取付けられるアウターシールの取付構造に関するものである。
【背景技術】
【０００２】
図１乃至図３を参照して説明する。従来、自動車ドア１のベルトラインＢに沿って、ステンレス製やアルミ製で光沢を有するいわゆるブライトフィニシャーを取付けて外観の向上を図り、そのブライトフィニシャーの内面側にアウターシールを取付けたものがある。
【０００３】
このうち、図１および図２に示すものは、ブライトフィニシャー３０を自動車ドア１の車外側４のみに設けており、また、アウターシール４０に芯金４１を埋設してドアフランジ１ａに対する組付き力を確保している。
【０００４】
また、図１および図３に示すものは、ブライトフィニシャー５０を自動車の車外側４のみでなく室内側３へも設け、アウターシール６０を内側部材６１と外側部材６２とに分けて形成し、分割状態で車外側４と室内側３へ取付けている。
【発明の開示】
【発明が解決しようとする課題】
【０００５】
しかし、図１および図２に示す従来技術においては、アウターシール４０に芯金４１を埋設しているため、その端末部に防錆処理を施す必要があり、製造コストが嵩むといった問題がある。また、ブライトフィニシャー３０を車外側４のみに取付けているので、室内側３の外観が車外側４に比べて見劣りするといった問題がある。
【０００６】
また、図１および図３に示す従来技術では、アウターシール６０を内側部材６１と外側部材６２の二つに分割しているため、取付けが厄介であり、また、受注や発注時などの取扱いに手間が掛かるといった問題がある。さらに、内側部材６１と外側部材６２とに分割形成しているため、ブライトフィニシャー５０への強固な取付け姿勢を確保するために、取付け部分を複雑な形状に設定せざるを得ず、従って、押出成形による生産性が必然的に低下してしまうといった問題もある。
【０００７】
本発明はこうした問題に鑑み創案されたもので、自動車ドアのベルトラインに沿ってブライトフィニシャーと共にアウターシールを取付けた構造において、その車外側と室内側の両方の外観性に優れ、取付けおよび取り扱いが容易で、さらに、押出成形における生産性にも優れるベルトラインアウターシールの取付構造を提供することを課題とする。
【課題を解決するための手段】
【０００８】
図１および図４乃至図６を参照して説明する。請求項１に記載のベルトラインアウターシールの取付構造は、自動車ドア１のベルトラインＢに沿って形成されるものである。この取付構造は、ステンレスやアルミ等の高い剛性と光沢性を有する材料で形成され、インナー壁１１、トップ壁１２およびアウター壁１３を有する断面略逆Ｕ字状で、かつ、前記アウター壁１３の下端部から室内側３に係止突起１４を突設したブライトフィニシャー１０を備えてなるものである。
【０００９】
また、前記ブライトフィニシャー１０の内面側に設けられ、少なくとも、室内側壁２２、上側壁２３および車外側壁２４を有する断面略逆Ｕ字状の取付基部２１の内面側に、ドアフランジ１ａに組付く爪部２５を突設すると共に、室内側３の下端部からドアガラス２に摺接するシール部２６を突設したアウターシール２０を備えてなるものである。
【００１０】
そして、前記取付基部２１の室内側壁２２を高硬度材Ｈで形成して支柱材とし、前記室内側壁２２と上側壁２３の境界部分に肉薄の支点部２７を形成し、前記車外側壁２４の下端部に、前記ブライトフィニシャー１０の係止突起１４に係合する係合凹部２８を形成している。
【００１１】
さらに、前記アウターシール２０は前記支点部２７を中心にして開いた状態で押出成形されるものであり、かつ、閉じた姿勢で前記ブライトフィニシャー１０に組付き、その状態では、前記支点部２７を中心とした弾性復元力によって前記ブライトフィニシャー１０の内面に圧接して組付くものである。
【００１２】
請求項２に記載のベルトラインアウターシールの取付構造は、自動車ドア１のベルトラインＢに沿って形成されるものである。この取付構造は、ステンレスやアルミ等の高い剛性と光沢性を有する材料で形成され、インナー壁１１、トップ壁１２およびアウター壁１３を有する断面略逆Ｕ字状で、かつ、前記アウター壁１３の下端部から室内側３に係止突起１４を突設したブライトフィニシャー１０を備える。
【００１３】
また、前記ブライトフィニシャー１０の内面側に設けられ、少なくとも、室内側壁２２、上側壁２３および車外側壁２４を有する断面略逆Ｕ字状の取付基部２１の内面側に、ドアフランジ１ａに組付く爪部２５を突設すると共に、室内側３の下端部からドアガラス２に摺接するシール部２６を突設したアウターシール２０を備える。
【００１４】
そして、前記取付基部２１の室内側壁２２と上側壁２３を高硬度材Ｈで形成して支柱材とし、前記上側壁２３と車外側壁２４との境界部分に肉薄の支点部２７を形成し、前記車外側壁２４の下端部に、前記ブライトフィニシャー１０の係止突起１４に係合する係合凹部２８を形成している。
【００１５】
さらに、前記アウターシール２０は前記支点部２７を中心にして開いた状態で押出成形されるものであり、かつ、閉じた姿勢で前記ブライトフィニシャー１０に組付き、その状態では、前記支点部２７を中心とした弾性復元力によって前記ブライトフィニシャー１０の内面に圧接して組付くものである。
【発明の効果】
【００１６】
請求項１に記載のベルトラインアウターシールの取付構造は、アウターシール２０を構成する取付基部２１の室内側壁２２を高硬度材Ｈで形成して支柱材としているので、十分な剛性を確保することができる。同時に、アウターシール２０は、取付け状態では、剛性の高いブライトフィニシャー１０によってその外面が支持されるので、ドアフランジ１ａに強固に組付くことができる。従って、従来技術のように、芯金を埋設する必要がない。その結果、アウターシール２０の端末部に防錆処理を施す必要がなく、製造コストを削減することができる。また、芯金を埋設していないので、アウターシール２０およびそれを取付ける自動車の軽量化を図ることができる。
【００１７】
なお、アウターシール２０の室内側壁２２を高硬度材で形成し、その外面をブライトフィニシャー１０によって支持したことにより、十分な剛性を確保することができるので、シール部２６を安定姿勢で支持することができる。
【００１８】
また、ブライトフィニシャー１０を、インナー壁１１を有する形状として、室内側３にそのインナー壁１１を配置するので、車外側４のみならず室内側３の外観性も高めることができる。
【００１９】
また、アウターシール２０を断面略逆Ｕ字状の単体品としたので、従来技術のように二つに分割したものと比較して、取付けが容易であり、また、受注や発注時などにおける取扱いも容易である。
【００２０】
さらに、アウターシール２０は、単体品であり、かつ、その支点部２７を中心とした弾性復元力によってブライトフィニシャー１０の内面に圧接して組付くので、その取付け構造を簡素なものとすることができる。従って、押出成形における生産性を高めることができる。
【００２１】
また、アウターシール２０は、その弾性復元力によってブライトフィニシャー１０に組付けるので、両者の組付きを安定かつ強固なものとすることができる。従って、ブライトフィニシャー１０が離脱するといった事態を未然に防止することができる。
【００２２】
またさらに、アウターシール２０は、その室内側壁２２と上側壁２３との境界部分に肉薄の支点部２７を形成するように押出成形するので、その支点部２７を中心として開いた状態で円滑に押出成形することができる。ちなみに、アウターシール２０を、ボディフランジに取付けた状態（閉じた状態）の形状で、押出成形することは、その爪部２５同士が相互に干渉するのでできない。
【００２３】
また、押出成形後は、その支点部２７を中心に閉じた状態とすることができるので、ブライトフィニシャー１０の内面側に容易に取付けることができる。
【００２４】
請求項２に記載のベルトラインアウターシール２０の取付構造は、請求項１に記載の発明と同様に、防錆処理を施す必要がないので製造コストを削減することができ、また、ブライトフィニシャー１０のインナー壁１１を室内側３に配するので室内側３の外観も高めることができる。また、アウターシール２０は単体品であるので取付けや取扱いが容易であり、さらに、ブライトフィニシャー１０に対する取付け構造が簡素であるため、押出成形の生産性を高めることができる。
【００２５】
また、アウターシール２０の取付基部２１の室内側壁２２と上側壁２３を高硬度材Ｈで形成してその両者を支柱材としたので、さらに剛性を高めることができ、ドアフランジ１ａに、より強固に取付けることができる。
【００２６】
なお、前記上側壁２３と車外側壁２４との境界部分に肉薄の支点部２７を形成しているので、請求項１に記載の発明と同様に、アウターシール２０をその支点部２７を中心として開いた状態で押出成形することができ、また、当該支点部２７を中心として閉じた状態でブライトフィニシャー１０に容易に取付けることができる。
【発明を実施するための最良の形態】
【００２７】
本発明に係るベルトラインアウターシール２０の取付構造の第一実施形態を、図１、図４および図５に示す。これは、自動車ドア１のベルトラインＢに沿って取付けられるもので、ブライトフィニシャー１０とアウターシール２０を備える。
【００２８】
ブライトフィニシャー１０は、ステンレスやアルミ等の高い剛性と光沢性を有する材料で形成され、インナー壁１１、トップ壁１２およびアウター壁１３を有する断面略逆Ｕ字状である。また、アウター壁１３の下端部から室内側３に斜め上方に向けて係止突起１４を突設している。
【００２９】
アウターシール２０は、ゴム製であり、ブライトフィニシャー１０の内面側に設けられ、室内側壁２２、上側壁２３および車外側壁２４を有する断面略逆Ｕ字状の取付基部２１の内面側に、ドアフランジ１ａに組付く爪部２５を突設している。また、室内側３の下端部からドアガラス２に摺接するシール部２６を突設している。
【００３０】
そして、取付基部２１の室内側壁２２を高硬度材（高硬度のゴム材）Ｈで形成して支柱材とし、上側壁２３と車外側壁２４はそれより硬度の小さい低硬度材（低硬度のゴム材）Ｌで形成している。また、室内側壁２２と上側壁２３の境界部分に肉薄の支点部２７を形成している。さらに、車外側壁２４の下端部に、ブライトフィニシャー１０の係止突起１４に係合する係合凹部２８を形成している。なお、係合凹部２８は、車外側壁２４の下端と、当該下端から垂下設され、ドアパネルに弾接するリップ部２９との間に形成している。
【００３１】
本実施形態におけるアウターシール２０は、その支点部２７を中心にして開いた状態で押出成形されるものである。また、閉じた姿勢でブライトフィニシャー１０に組付き、その状態では、支点部２７を中心とした弾性復元力によってブライトフィニシャー１０の内面に圧接して組付くものである。
【００３２】
本実施形態におけるベルトラインアウターシールの取付構造は、アウターシール２０の取付基部２１の室内側壁２２を高硬度材Ｈで形成して支柱材としており、また、当該アウターシール２０は、取付け状態では、剛性の高いブライトフィニシャー１０によってその外面を支持されるので、十分な剛性を確保することができる。従って、芯金を埋設する必要がない。これにより、芯金を覆うために、アウターシール２０の端末部に防錆処理を施すといった作業を不要とし、製造コストを削減することができる。
【００３３】
また、ブライトフィニシャー１０を、インナー壁１１を有する形状として、室内側３にそのインナー壁１１を配置しているので、車外側４と共に室内側３の外観性も高めることができる。また、アウターシール２０を断面略逆Ｕ字状の単体品としたので、取付けおよび取扱いが容易である。
【００３４】
さらに、アウターシール２０は、単体品であり、かつ、その支点部２７を中心とした弾性復元力によってブライトフィニシャー１０の内面に圧接して組付けるので、その取付け構造を簡素なものとすることができる。従って、押出成形における生産性を高めることができる。
【００３５】
また、アウターシール２０は、その弾性復元力によってブライトフィニシャー１０に組付けるので、両者の組付きを安定かつ強固なものとすることができる。従って、ブライトフィニシャー１０を、離脱させることなく、アウターシール２０と共に強固に組付けることができる。
【００３６】
またさらに、アウターシール２０は、その室内側壁２２と上側壁２３との境界部分に肉薄の支点部２７を形成するように押出成形するので、その支点部２７を中心として開いた状態で円滑に押出成形することができる。また、押出成形後は、その支点部２７を中心に閉じた状態とすることができるので、ブライトフィニシャー１０の内面側に容易に取付けることができる。
【００３７】
本発明に係るベルトラインアウターシールの取付構造の第二実施形態を、図６に示す。本実施形態では、アウターシール２０の取付基部２１の室内側壁２２と上側壁２３の両方を高硬度材Ｈで形成して支柱材としている。これにより、アウターシール２０の剛性をさらに高めることができ、ドアフランジ１ａに、より強固に取付けることができる。
【００３８】
また、この実施形態では、肉薄の支点部２７を、上側壁２３と車外側壁２４との境界部分に形成している。これにより、第一実施形態と同様に、アウターシール２０をその支点部２７を中心として開いた状態で押出成形することができ、また、当該支点部２７を中心として閉じた状態でブライトフィニシャー１０に容易に取付けることができる。
【００３９】
なお、第一実施形態および第二実施形態における取付構造においては、まず、アウターシール２０をブライトフィニシャー１０に、前者の係合凹部２８を後者の係止突起１４に係合させた状態で嵌め込んだ後、ドアフランジ１ａに取付ける。この際、アウターシール２０は剛性の高いブライトフィニシャー１０によって外面が支持されているので、芯金を埋設していないにも関わらず、その爪部２５でドアフランジ１ａに強固に挟持することができる。なお、ブライトフィニシャー１０の成形材料は、ステンレスやアルミの他、それと同等の剛性および光沢のあるものであれば良い。
【００４０】
また、第一実施形態では、取付基部２１の室内側壁２２を高硬度材Ｈで形成し、室内側壁２２と上側壁２３の境界部分に支点部２７を形成し、また、第二実施形態では、室内側壁２２と上側壁２３を高硬度材Ｈで形成し、上側壁２３と車外側壁２４との境界部分に支点部２７を形成しているが、こうした技術思想は、例えば、室内側壁２２とそれに続く上側壁２３の略半分（室内側３部分）を高硬度材Ｈで形成し、上側壁２３の略中間部分に支点部２７を形成するといった技術思想を包含するものである。
【図面の簡単な説明】
【００４１】
【図１】ベルトラインアウターシールの取付構造を有する自動車を示す側面図である。
【図２】従来例を示すもので、図１のＸ−Ｘ線断面図である。
【図３】他の従来例を示すもので、図１のＸ−Ｘ線断面図である。
【図４】本発明に係るベルトラインアウターシールの取付構造の第一実施形態を示すもので、図１のＸ−Ｘ線断面図である。
【図５】図４に示す取付構造におけるアウターシールの開いた状態を示す断面図である。
【図６】本発明の第二実施形態において、開いた状態を示す断面図である。
【符号の説明】
【００４２】
１        ドア（ドアパネル）
１ａ      ドアフランジ
２        ドアガラス
３        室内側
４        車外側
５        インナーシール
１０      ブライトフィニシャー
１１      インナー壁
１２      トップ壁
１３      アウター壁
１４      係止突起
２０      アウターシール
２１      取付基部
２２      室内側壁
２３      上側壁
２４      車外側壁
２５      爪部
２６      シール部
２７      支点部
２８      係合凹部
２９      リップ部
３０      ブライトフィニシャー
４０      アウターシール
４１      芯金
５０      ブライトフィニシャー
６０      アウターシール
６１      内側部材
６２      外側部材
Ｂ        ベルトライン
Ｈ        高硬度材
Ｌ        低硬度材
【図１】
2006182215.tif 000003
【図２】
2006182215.tif 000004
【図３】
2006182215.tif 000005
【図４】
2006182215.tif 000006
【図５】
2006182215.tif 000007
【図６】
2006182215.tif 000008